(57)【要約】  室内機は、前面下部熱交換器（２０Ａ）と、ドレンパン（４０）と、を備える。前面下部熱交換器（２０Ａ）は、複数のフィン（２２）と、複数のフィン（２２）を貫通する複数の伝熱管（２１）とを有する。複数の伝熱管（２１）は、ドレンパン（４０）の最も近くに配置されると共に、前面下部熱交換器（２０Ａ）の下端との間に空気が流れる第１の通風路（Ｐ１）を構成する第１伝熱管（２１−１）と、第１伝熱管（２１−１）よりもドレンパン（４０）から遠くに配置されると共に、第１伝熱管（２１−１）との間に空気が流れる第２の通風路（Ｐ２）を構成する第２伝熱管（２１−２）と、を含む。複数のフィン（２２）には、第１伝熱管（２１−１）と前面下部熱交換器（２０Ａ）の下端（２３Ｌ）との間に、第２の通風路（Ｐ２）よりも大きな通風抵抗を有する第１の通風路（Ｐ１）の一部を構成する第１のスリット群（２４）が形成されている。
2019180764.tif 000002
【特許請求の範囲】
【請求項１】
複数のフィンと、前記複数のフィンを貫通する複数の伝熱管と、を有し、空気との熱交換を行う室内熱交換器と、
前記室内熱交換器の下方に配置され、前記室内熱交換器の熱交換時に生じるドレン水を受けるドレンパンと、
を備え、
前記複数の伝熱管は、前記ドレンパンの最も近くに配置されると共に、前記室内熱交換器の下端との間に前記空気が流れる第１の通風路を構成する第１伝熱管と、前記第１伝熱管よりも前記ドレンパンから遠くに配置されると共に、前記第１伝熱管との間に前記空気が流れる第２の通風路を構成する第２伝熱管と、を含み、
前記複数のフィンには、前記第２の通風路よりも大きな通風抵抗を有する前記第１の通風路の一部を構成する第１のスリット群が形成されている、室内機。
【請求項２】
前記第１のスリット群は、前記室内熱交換器の上端から下端に向かう第１方向に沿って延びると共に、前記フィンから細片が切り起こされて形成されている第１のスリットを有する、請求項１に記載の室内機。
【請求項３】
前記複数のフィンには、前記第２伝熱管と前記第１伝熱管との間に、第２のスリット群が形成されている、請求項２に記載の室内機。
【請求項４】
前記第２のスリット群は、前記第１方向に沿って延びると共に、前記フィンから細片が切り起こされて形成されている第２のスリットを有する、請求項３に記載の室内機。
【請求項５】
前記第１のスリット群の前記第１のスリットの前記第１方向の長さの総和は、前記第２のスリット群の前記第２のスリットの前記第１方向の長さの総和よりも大きい、請求項４に記載の室内機。
【請求項６】
前記第１のスリット群が有する前記第１のスリットの本数は、前記第２のスリット群の前記第２のスリットの本数よりも多い、請求項４又は５に記載の室内機。
【請求項７】
前記複数の伝熱管は、前記第２伝熱管よりも前記ドレンパンから遠くに配置されると共に、前記第２伝熱管との間に前記空気が流れる第３の通風路を構成する第３伝熱管を含み、
前記複数のフィンには、前記第３伝熱管と前記第２伝熱管との間に、第３のスリット群が形成されている、請求項３から６のいずれか一項に記載の室内機。
【請求項８】
前記第３のスリット群は、前記第２の通風路の通風抵抗と同等の通風抵抗を有する前記第３の通風路の一部を構成する、請求項７に記載の室内機。
【請求項９】
前記第３のスリット群は、前記第２の通風路よりも大きな通風抵抗を有する前記第３の通風路の一部を構成する、請求項７に記載の室内機。
【請求項１０】
前記複数のフィンにおける前記第２伝熱管と前記第１伝熱管との間の部分は、平滑な面である、請求項１又は２に記載の室内機。
【請求項１１】
空気吸込口及び空気吹出口が形成され、前記室内熱交換器を収容する室内機筐体と、
前記空気吸込口から前記空気を取り入れると共に、前記室内熱交換器によって熱交換された前記空気を、前記空気吹出口から吹き出す貫流ファンと、
を備える、請求項１から１０のいずれか一項に記載の室内機。
【請求項１２】
請求項１から１１のいずれか一項に記載の室内機を備える、空気調和機。
【発明の詳細な説明】
【技術分野】
【０００１】
本発明は、室内機及び空気調和機に関する。
【背景技術】
【０００２】
空気調和機の室内機では、冷房運転時における室内熱交換器の熱交換時に生じるドレン水を受けるドレンパンが、室内熱交換器の下方に配置されている。このドレンパンにドレン水が溜まっている場合、空気調和機の運転に伴って、空気が室内熱交換器を通過するため、この空気の通過量によってはドレン水が飛散するおそれがある。【０００３】
これに対して、下記特許文献１、２では、室内熱交換器の上端から下端までの空気の通過量を均一化する技術が開示されている。これにより、下端にあるドレンパン近傍の空気の通過量を必要以上に多くしないようにして、結果として、ドレン水の飛散を抑制している。
【先行技術文献】
【特許文献】
【０００４】
【特許文献１】実開昭５９−１２３２２２号公報
【特許文献２】実開平２−１６９２８号公報
【発明の概要】
【発明が解決しようとする課題】
【０００５】
特許文献１、２に記載の技術では、室内熱交換器を通過する空気全体の量が多い場合、ドレンパンに溜まったドレン水の飛散を抑制する効果が不十分であり、さらなる改良が望まれる。【０００６】
本発明は、上記の事情に鑑みてなされたもので、ドレンパンに溜まったドレン水の飛散を抑制する効果を向上させることを目的とする。
【課題を解決するための手段】
【０００７】
上記目的を達成するため、本発明に係る室内機は、複数のフィンと、複数のフィンを貫通する複数の伝熱管と、を有し、空気との熱交換を行う室内熱交換器と、室内熱交換器の下方に配置され、室内熱交換器の熱交換時に生じるドレン水を受けるドレンパンと、を備える。複数の伝熱管は、ドレンパンの最も近くに配置されると共に、室内熱交換器の下端との間に空気が流れる第１の通風路を構成する第１伝熱管と、第１伝熱管よりもドレンパンから遠くに配置されると共に、第１伝熱管との間に空気が流れる第２の通風路を構成する第２伝熱管と、を含む。複数のフィンには、第２の通風路よりも大きな通風抵抗を有する第１の通風路の一部を構成する第１のスリット群が形成されている。
【発明の効果】
【０００８】
本発明では、ドレンパンに近い第１の通風路の通風抵抗が、第１の通風路よりもドレンパンから遠い第２の通風路の通風抵抗よりも大きい。このため、ドレンパンに近い第１の通風路の風量を、第２の通風路の風量よりも小さくすることができ、この結果、ドレンパンに溜まったドレン水の飛散を抑制する効果を向上させることができる。
【図面の簡単な説明】
【０００９】
【図１】本発明の実施の形態１に係る空気調和機の構成図
【図２】室内機の断面図
【図３】前面下部熱交換器の断面図
【図４】前面下部熱交換器の斜視図
【図５Ａ】フィンの側面図
【図５Ｂ】図５ＡのＶＢ−ＶＢ断面図
【図６Ａ】図５ＡのＶＩＡ−ＶＩＡ断面図
【図６Ｂ】図５ＡのＶＩＢ−ＶＩＢ断面図
【図７】比較例１に係る前面下部熱交換器の断面図
【図８Ａ】比較例２に係る前面下部熱交換器の作用を説明するための図
【図８Ｂ】本発明の実施の形態１に係る前面下部熱交換器の作用を説明するための図
【図９】実施の形態２に係る前面下部熱交換器の断面図
【図１０】実施の形態３に係る前面下部熱交換器の断面図
【発明を実施するための形態】
【００１０】
実施の形態１．
以下、本発明の実施の形態１に係る空気調和機１及び室内機１０を、図面を参照しつつ説明する。なお、理解を容易にするために、相互に直交するＸＹＺ座標を設定し、適宜参照する。また、各図は模式的に描いたものであって、各部材の形状及び大きさは図示する形態に限定するものではない。また、各図において同じ部分または相当する部分には同じ符号を付し、一部の説明を省略する。
【００１１】
空気調和機１は、図１に示すように、冷凍サイクル回路に冷媒が還流することにより、空気調和対象の室内Ｒの空気調和を行う。空気調和機１は、上述の室内機１０に加えて、屋外に設置される室外機６０と、これらを接続する配管７０とを備える。
【００１２】
室内機１０は、図２に示すように、空気調和対象の室内Ｒに設置され、室内熱交換器２０と、貫流ファン３０と、２つのドレンパン４０、４１と、これらを覆う筐体５０とを備える。
【００１３】
室内熱交換器２０は、冷媒と、空気調和対象の室内Ｒの空気との熱交換をすることにより、室内Ｒの空気を冷やしたり、暖めたりするフィンチューブ式熱交換器である。例えば、冷房運転時においては、室内熱交換器２０は、蒸発器として機能し、流入した冷媒を蒸発させて、室内Ｒの空気を冷却する。また、暖房運転時においては、室内熱交換器２０は、凝縮器として機能して、流入した気体冷媒を凝縮させて、室内Ｒの空気を暖化する。室内熱交換器２０は、貫流ファン３０を覆うように配置されている。室内熱交換器２０は、具体的には、前面下部熱交換器２０Ａと、前面上部熱交換器２０Ｂと、背面熱交換器２０Ｃとの３つの熱交換器を含む。前面下部熱交換器２０Ａは、貫流ファン３０の前面側（−Ｘ側）に配置されている。前面上部熱交換器２０Ｂ及び背面熱交換器２０Ｃは、貫流ファン３０の上方（＋Ｚ方向）に配置されている。なお、本実施の形態においては、前面下部熱交換器２０Ａ、前面上部熱交換器２０Ｂ及び背面熱交換器２０Ｃは一体的に形成されている。しかしながら、これに限られない。前面下部熱交換器２０Ａ、前面上部熱交換器２０Ｂ及び背面熱交換器２０Ｃは、物理的に分離したものであってもよい。また、熱交換器が有するフィンを折り曲げて一体としたものであってもよい。
【００１４】
前面下部熱交換器２０Ａは、複数本の伝熱管２１と、複数のフィン２２とを有する。
【００１５】
伝熱管２１は、図３に示すように、ドレンパン４０の最も近くに配置される第１伝熱管２１−１と、第１伝熱管２１−１よりも上方に配置される第２〜第４伝熱管２１−２〜２１−４とを含む４本の伝熱管２１を含む。第１〜第４伝熱管２１−１〜２１−４は、＋Ｚ方向の順に等間隔に配置されている。なお、本実施の形態では、前面下部熱交換器２０Ａは、伝熱管２１を４本有しているが、これに限らず、３本以下であったり、５本以上であったりしてもよい。
【００１６】
前面下部熱交換器２０Ａの−Ｚ側の下端２３Ｌと第１伝熱管２１−１との間の領域Ｘ１は、空気が流れる第１の通風路Ｐ１として構成される。また、第１伝熱管２１−１と第２伝熱管２１−２との間の領域Ｘ２、第２伝熱管２１−２と第３伝熱管２１−３との間の領域Ｘ３、第３伝熱管２１−３と第４伝熱管２１−４との間の領域Ｘ４は、空気が流れる第２〜第４の通風路Ｐ２〜Ｐ４として構成される。
【００１７】
各々のフィン２２には、図４〜図６Ｂに示すように、第１伝熱管２１−１〜第４伝熱管２１−４が貫通されて配置されている。フィン２２には、前面下部熱交換器２０Ａの下端２３Ｌと第１伝熱管２１−１との間の領域Ｘ１において、第１のスリット群２４が形成されている。第１のスリット群２４は、４つの第１のスリット２４ａを有する。第１のスリット２４ａは、１枚のフィン２２毎に、フィン２２から細片２４ｂが切り起こされて形成されている。
【００１８】
また、フィン２２には、領域Ｘ２において、第２のスリット群２５が形成されている。第２のスリット群２５は、２つの第２のスリット２５ａを有する。第２のスリット２５ａは、１枚のフィン２２毎に、フィン２２から細片２５ｂが切り起こされて形成されている。
【００１９】
同様に、フィン２２には、領域Ｘ３において、第３のスリット群２６が形成されていると共に、領域Ｘ４において、第４のスリット群２７が形成されている。
【００２０】
第３のスリット群２６は、２つの第３のスリット２６ａを有する。第３のスリット２６ａは、１枚のフィン２２毎に、フィン２２から細片２６ｂが切り起こされて形成されている。第４のスリット群２７は、２つの第４のスリット２７ａを有する。第４のスリット２７ａは、１枚のフィン２２毎に、フィン２２から細片２７ｂが切り起こされて形成されている。スリット２４ａ〜２７ａは、前面下部熱交換器２０Ａの上端２３Ｕから下端２３Ｌに向かう第１方向Ｄ１に沿って形成されている。
【００２１】
第１のスリット群２４は、その第１のスリット２４ａの第１方向Ｄ１の長さＬ１の総和が、第２のスリット群２５の第２のスリット２５ａの第１方向Ｄ１の長さＬ２の総和よりも大きく形成されている。ここで、第１のスリット群２４の第１のスリット２４ａの長さＬ１の総和とは、第１のスリット２４ａの長さＬ１に、第１のスリット２４ａの本数と、前面下部熱交換器２０Ａが有するフィン２２の枚数とを乗じた値のことを示している。また、第２のスリット群２５は、その第２のスリット２５ａの第１方向Ｄ１の長さＬ２の総和が、第３のスリット群２６の第３のスリット２６ａの第１方向Ｄ１の長さＬ３の総和、及び第４のスリット群２７の第４のスリット２７ａの第１方向Ｄ１の長さＬ４の総和と等しく形成されている。
【００２２】
スリット群２４〜２７のスリット２４ａ〜２７ａが上述の本数及び長さの総和によって形成されていることにより、図３に示すように、第１の通風路Ｐ１は、その通風抵抗が、第２の通風路Ｐ２の通風抵抗よりも大きく構成される。また、第２の通風路Ｐ２は、その通風抵抗が、第３、４の通風路Ｐ３、４の通風抵抗とほぼ等しく構成される。これにより、ドレンパン４０に近い第１の通風路Ｐ１は、その通風抵抗が、他の第２〜第４の通風路Ｐ２〜Ｐ４の通風抵抗よりも大きく構成され、この結果、ドレンパン４０に近い第１の通風路Ｐ１の風量は、他の第２〜第４の通風路Ｐ２〜Ｐ４の風量よりも小さくなる。
【００２３】
図２に示すように、前面上部熱交換器２０Ｂ及び背面熱交換器２０Ｃも、前面下部熱交換器２０Ａと同様に、複数本の伝熱管２１と、複数のフィン２２とを有する。
【００２４】
貫流ファン３０は、羽根車と、羽根車を回転可能に支持し、筐体５０の長手方向であるＹ軸方向に延びる回転軸と、回転軸に取り付けられたファンモータとを有する。貫流ファン３０は、羽根車の回転に伴って、室内熱交換器２０を通過する空気流を生成する。そして、生成された空気流によって、熱交換された空気を、空気調和対象の室内Ｒに供給する。
【００２５】
ドレンパン４０は、前面下部熱交換器２０Ａの下方に配置されている正面側（−Ｘ側）のドレンパンである。このドレンパン４０は、室内熱交換器２０の熱交換時に結露されたドレン水を受ける受け皿部である。また、ドレンパン４０と前面下部熱交換器２０Ａとの間には、断熱材４２が配置されている。断熱材４２の素材は、断熱性の高い素材であり、断熱材４２は、ドレンパン４０と前面下部熱交換器２０Ａとの隙間を塞ぐ部材である。ドレンパン４０の貫流ファン３０側（＋Ｘ側）には、リブ４０ａが形成されている。
【００２６】
ドレンパン４１は、背面熱交換器２０Ｃの下方に配置されている背面側（＋Ｘ側）のドレンパンである。このドレンパン４１は、ドレンパン４０と同様に、室内熱交換器２０の熱交換時に結露されたドレン水を受ける受け皿部である。また、ドレンパン４１と背面熱交換器２０Ｃとの間には、断熱材４３が配置されている。断熱材４３の素材は、断熱性の高い素材であり、断熱材４３は、ドレンパン４１と背面熱交換器２０Ｃとの隙間を塞ぐ部材である。ドレンパン４０、４１に溜まったドレン水は、図示しないドレンホース等により、室外に排水される。
【００２７】
筐体５０には、空気調和対象の室内Ｒの空気を吸い込むための吸込口５０ａ、５０ｂと、室内Ｒに冷風又は温風を供給するための吹出口５０ｃと、が形成されている。吸込口５０ａは、筐体５０の上面（＋Ｚ側の面）に形成されている。吸込口５０ｂ及び吹出口５０ｃは、筐体５０の前面（−Ｘ側の面）の下方に形成されている。吹出口５０ｃには、複数枚の上下風向変更板５０ｄが設けられている。上下風向変更板５０ｄは、吹出口５０ｃから吹き出される空気の上下方向の風向きを規定する。この筐体５０は、筐体本体５１と、前面パネル５２と、集塵フィルタ５３と、を有する。
【００２８】
筐体本体５１は、貫流ファン３０の背面側（＋Ｘ側）に配置され、室内Ｒの壁面に固定されている。また、筐体本体５１には、ドレンパン４１が一体的に形成されている。
【００２９】
前面パネル５２は、貫流ファン３０の室内熱交換器２０を挟んだ正面側（−Ｘ側）に配置されている。また、前面パネル５２の下方には、結露水の回収と風路の形成との役割を兼ね備えたノズル５４が設けられている。
【００３０】
集塵フィルタ５３は、吸込口５０ａ、５０ｂから取り入れられる空気に含まれる粉塵を捕集するものである。
【００３１】
室外機６０は、図１に示すように、屋外に設置され、その内部に、圧縮機６１と、四方切換弁６２と、室外熱交換器６３と、絞り機構６４と、室外送風機６５とを有する。これら圧縮機６１と室外熱交換器６３と絞り機構６４とに加えて、上述の室内熱交換器２０が、空気調和機１の冷凍サイクル回路を構成する。
【００３２】
圧縮機６１は、供給された冷媒を圧縮し、高温高圧のガス冷媒に変化させて、四方切換弁６２に送出する。圧縮機６１には、電源が接続されている。
【００３３】
四方切換弁６２は、圧縮機３１の下流側に設けられている。四方切換弁６２は、冷凍サイクル回路内の冷媒の還流方向を切り替える。
【００３４】
室外熱交換器６３は、流入した冷媒を、蒸発又は凝縮することにより、空気と熱交換をし、空気を冷却又は加熱する。例えば、冷房運転時においては、室外熱交換器６３は、凝縮器として機能して、流入した冷媒を凝縮させる。また、暖房運転時においては、室外熱交換器６３は、蒸発器として機能して、流入した冷媒を蒸発させる。
【００３５】
絞り機構６４は、開度が変更可能な減圧装置である。絞り機構６４は、流入した冷媒を減圧する。
【００３６】
室外送風機６５は、室外熱交換器６３の近傍に設置されている。室外送風機６５は、室外熱交換器６３を通過する空気流を生成し、熱交換された空気を、屋外に排出する。
【００３７】
以上のように構成された空気調和機１は、冷房運転及び暖房運転を行うことにより、空気調和対象の室内Ｒの空気調和を行う。以下、冷房運転時における空気調和機１の冷凍サイクルの動作について、図１を用いて説明する。図１における実線の矢印は、冷房運転時における冷媒の流れを示している。また、図１における点線の矢印は、暖房運転時における冷媒の流れを示している。
【００３８】
電源が投入されることにより、圧縮機６１が動作する。そうすると、冷凍サイクル回路内の冷媒の循環が開始される。冷房運転の場合、四方切換弁６２は、圧縮機６１からの冷媒を、室外熱交換器６３に送出するように切り替えられているため、冷媒は、図１における実線の矢印に示されるように、流れるようになる。この場合、室外熱交換器６３は、凝縮器として機能し、室内熱交換器２０は、蒸発器として機能する。
【００３９】
先ず、圧縮機６１に冷媒が流入すると、流入した冷媒は、圧縮機６１によって圧縮される。すると、冷媒は、高温高圧のガス冷媒に変化し、圧縮機６１から送出される。圧縮機６１から送出されたガス冷媒は、四方切換弁６２を通過して、室外熱交換器６３に流入する。
【００４０】
室外熱交換器６３に、ガス冷媒が流入すると、冷媒は、室外送風機６５によって供給される外部空気（外気）との熱交換によって凝縮し、気液二相状態または気相状態の冷媒を生成する。気液二相状態または気相状態の冷媒は、絞り機構６４によって減圧されて、低圧の状態に変化する。そして、この冷媒は、絞り機構６４から送出される。
【００４１】
絞り機構６４から送出された冷媒は、配管７０を通過して、室内熱交換器２０に流入する。室内熱交換器２０に、冷媒が流入すると、冷媒は、貫流ファン３０によって供給される空気調和対象の室内Ｒの空気との熱交換によって蒸発する。これにより、冷媒は、高温低圧の加熱状態のガス冷媒に変化する。また、上記熱交換によって、室内Ｒの空気は冷却される。この結果、空気調和対象の室内Ｒの室温は低下する。
【００４２】
以上、説明したように、本実施の形態１では、図３に示すように、ドレンパン４０に近い第１の通風路Ｐ１の通風抵抗が、第１の通風路Ｐ１よりもドレンパン４０から遠い第２の通風路Ｐ２の通風抵抗よりも大きい。このため、ドレンパン４０に近い第１の通風路Ｐ１の風量を、第２の通風路Ｐ２の風量よりも小さくすることができる。この結果、ドレンパン４０に溜まったドレン水がリブ４０ａを乗り越えにくくなる。
【００４３】
例えば、図７に示す比較例１に係る前面下部熱交換器３２０Ａの場合、冷房運転においては、ドレンパン４０にはドレン水Ｗが溜まっている。前面下部熱交換器３２０Ａの第１の通風路Ｐ１を通過する空気の風速又は風量が大きい場合、ドレン水Ｗ表面の圧力に対してドレン水Ｗの上部を通過する空気の圧力が小さくなる。この結果、ドレン水Ｗが液滴として分離し、空気の流れに乗ってリブ４０ａを越えて、矢印Ａ１に示すように、貫流ファン３０へ飛散してしまうおそれがある。そして、矢印Ａ２に示すように、貫流ファン３０へ飛散したドレン水はそのまま室内へ滴下してしまうおそれがある。
【００４４】
しかしながら、本実施の形態１では、図３に示すように、ドレンパン４０に近い第１の通風路Ｐ１の風量が、第２の通風路Ｐ２の風量よりも小さいため、ドレンパン４０に溜まったドレン水がリブ４０ａを乗り越えにくくなり、ドレン水の飛散を抑制する効果を向上させることができる。
【００４５】
また、本実施の形態１では、図６Ａに示すように、第１のスリット群２４の第１のスリット２４ａは、フィン２２から細片２４ｂが切り起こされて形成されている。このため、ドレン水の飛散を抑制する効果を向上させることができる。
【００４６】
図８Ａは、比較例２に係る第１のスリット２４ａの断面図である。比較例２に係る第１のスリット２４ａは、Ｖ字形状のＸＹ断面を有している。この場合、Ｖ字の高さＨ１が大きく確保できないため、第１の通風路Ｐ１の通風抵抗を大きく確保できず、ドレンパン４０に溜まったドレン水の飛散を抑制する効果が不十分である。
【００４７】
これに対して、本実施の形態１では、図８Ｂに示すように、第１のスリット群２４の第１のスリット２４ａは、フィン２２から細片２４ｂが切り起こされて形成されている。このため、切り起こしの高さＨ２が大きく確保できるため、第１の通風路Ｐ１の通風抵抗が大きくなり、ドレン水の飛散を抑制する効果を向上させることができる。
【００４８】
実施の形態２．
続いて、実施の形態２について、上述の実施の形態１との相違点を中心に説明する。なお、上記実施の形態１と同一又は同等の構成については、同等の符号を用いるとともに、その説明を省略又は簡略する。本実施の形態２に係る室内熱交換器１２０では、前面下部熱交換器１２０Ａの第１のスリット群２４の第１のスリット２４ａの本数が、実施の形態１のものよりも少ない点で、実施の形態１のものと相違する。
【００４９】
前面下部熱交換器１２０Ａは、図９に示すように、複数本の伝熱管２１と、複数のフィン２２とを有する。
【００５０】
伝熱管２１は、ドレンパン４０の最も近くに配置される第１伝熱管２１−１と、第１伝熱管２１−１よりも上方に配置される第２〜第４伝熱管２１−２〜２１−４とを含む４本の伝熱管２１を含む。第１〜第４伝熱管２１−１〜２１−４は、＋Ｚ方向の順にほぼ等間隔に配置されている。
【００５１】
前面下部熱交換器１２０Ａの−Ｚ側の下端２３Ｌと第１伝熱管２１−１との間の領域Ｘ１は、空気が流れる第１の通風路Ｐ１として構成される。また、第１伝熱管２１−１と第２伝熱管２１−２との間の領域Ｘ２、第２伝熱管２１−２と第３伝熱管２１−３との間の領域Ｘ３、第３伝熱管２１−３と第４伝熱管２１−４との間の領域Ｘ４は、空気が流れる第２〜第４の通風路Ｐ２〜Ｐ４として構成される。
【００５２】
各々のフィン２２には、第１伝熱管２１−１〜第４伝熱管２１−４が貫通されている。フィン２２には、前面下部熱交換器１２０Ａの下端２３Ｌと第１伝熱管２１−１との間の領域Ｘ１において、第１のスリット群２４が形成されている。第１のスリット群２４は、２つのスリット２４ａを有する。スリット２４ａは、１枚のフィン２２毎に、フィン２２から細片が切り起こされて形成されている。
【００５３】
また、フィン２２には、領域Ｘ２において、第２のスリット群２５が形成されている。第２のスリット群２５は、１つのスリット２５ａを有する。スリット２５ａは、フィン２２から切り起こされて形成されている。
【００５４】
同様に、フィン２２には、領域Ｘ３において、２つのスリット２６ａを有する第３のスリット群２６が形成されていると共に、領域Ｘ４において、２つのスリット２７ａを有する第４のスリット群２７が形成されている。スリット２４ａ〜２７ａは、前面下部熱交換器１２０Ａの上端２３Ｕから下端２３Ｌに向かう第１方向Ｄ１に沿って形成されている。
【００５５】
第１のスリット群２４は、そのスリット２４ａの第１方向Ｄ１の長さＬ１の総和が、第２のスリット群２５のスリット２５ａの第１方向Ｄ１の長さＬ２の総和よりも大きく形成されている。また、第１のスリット群２４は、そのスリット２４ａの第１方向Ｄ１の長さＬ１の総和が、第３のスリット群２６のスリット２６ａの第１方向Ｄ１の長さＬ３の総和、及び第４のスリット群２７のスリット２７ａの第１方向Ｄ１の長さＬ４の総和と等しく形成されている。
【００５６】
第１のスリット群２４〜第４のスリット群２７のスリット２４ａ〜２７ａが上述の本数及び長さの総和によって形成されていることにより、第１の通風路Ｐ１は、その通風抵抗が、第２の通風路Ｐ２の通風抵抗よりも大きく構成される。これにより、ドレンパン４０に近い第１の通風路Ｐ１は、その通風抵抗が、他の第２の通風路Ｐ２の通風抵抗よりも大きく構成される。この結果、ドレンパン４０に近い第１の通風路Ｐ１の風量は、第２の通風路Ｐ２の風量よりも小さくなる。
【００５７】
以上、説明したように、本実施の形態２では、ドレンパン４０に近い第１の通風路Ｐ１の通風抵抗が、第１の通風路Ｐ１よりもドレンパン４０から遠い第２の通風路Ｐ２の通風抵抗よりも大きい。このため、ドレンパン４０に近い第１の通風路Ｐ１の風量を、第２の通風路Ｐ２の風量よりも小さくすることができ、この結果、実施の形態１と同様に、ドレンパン４０に溜まったドレン水の飛散を抑制する効果を向上させることができる。
【００５８】
実施の形態３．
続いて、実施の形態３について、上述の実施の形態２との相違点を中心に説明する。なお、上記実施の形態１と同一又は同等の構成については、同等の符号を用いるとともに、その説明を省略又は簡略する。本実施の形態３に係る室内熱交換器２２０では、前面下部熱交換器２２０Ａに第２のスリット群２５が形成されていない点で、実施の形態２のものと相違する。
【００５９】
図１０に示すように、フィン２２には、前面下部熱交換器２２０Ａの下端２３Ｌと第１伝熱管２１−１との間の領域Ｘ１において、第１のスリット群２４が形成されている。第１のスリット群２４は、１枚のフィン２２毎に、フィン２２から細片が切り起こされて形成されている２つのスリット２４ａを有する。
【００６０】
また、フィン２２の領域Ｘ２は、第２のスリット群２５が形成されていない平滑な面である。即ち、実施の形態３では、第２のスリット群２５のスリット２５ａの第１方向Ｄ１の長さＬ２の総和は０であり、第２のスリット群２５のスリット２５ａの本数は０である。したがって、実施の形態３においても、第１のスリット群２４は、そのスリット２４ａの第１方向Ｄ１の長さＬ１の総和が、第２のスリット群２５のスリット２５ａの第１方向Ｄ１の長さＬ２の総和よりも大きく形成されているといえる。また、第１のスリット群２４が有するスリット２４ａの本数は、第２のスリット群２５のスリット２５ａの本数よりも多いといえる。
【００６１】
スリット群２４〜２７のスリット２４ａ〜２７ａが上述の本数及び長さの総和によって形成されていることにより、第１の通風路Ｐ１は、その通風抵抗が、第２の通風路Ｐ２の通風抵抗よりも大きく構成される。これにより、ドレンパン４０に近い第１の通風路Ｐ１は、その通風抵抗が、他の第２の通風路Ｐ２の通風抵抗よりも大きく構成される。この結果、ドレンパン４０に近い第１の通風路Ｐ１の風量は、第２の通風路Ｐ２の風量よりも小さくなる。
【００６２】
以上、説明したように、本実施の形態２では、ドレンパン４０に近い第１の通風路Ｐ１の通風抵抗が、第１の通風路Ｐ１よりもドレンパン４０から遠い第２の通風路Ｐ２の通風抵抗よりも大きい。このため、ドレンパン４０に近い第１の通風路Ｐ１の風量を、第２の通風路Ｐ２の風量よりも小さくすることができ、この結果、実施の形態１、２と同様に、ドレンパン４０に溜まったドレン水の飛散を抑制する効果を向上させることができる。
【００６３】
以上、本発明の実施の形態１〜３について説明したが、本発明は上記実施の形態１〜３によって限定されるものではない。
【００６４】
例えば、本実施の形態１では、第１のスリット群２４は、４本の第１のスリット２４ａを有し、第２のスリット群２５は、２本の第２のスリット２５ａを有している。しかしながら、これに限られない。第１のスリット群２４の第１のスリット２４ａの本数が、第２のスリット群２５の第２のスリット２５ａの本数より多ければ、これ以外の本数であってもよい。実施の形態２、３においても同様である。
【００６５】
また、本実施の形態では、室内熱交換器２０のうち、前面下部熱交換器２０Ａを用いて例示したが、これに限らず、本発明を背面熱交換器２０Ｃに適用してもよい。
【００６６】
なお、本発明において「スリット群」は、一本又は複数本のスリットを含むものとする。
【００６７】
本発明は、本発明の広義の精神と範囲を逸脱することなく、様々な実施の形態及び変形が可能とされるものである。また、上述した実施の形態は、本発明を説明するためのものであり、本発明の範囲を限定するものではない。つまり、本発明の範囲は、実施の形態ではなく、請求の範囲によって示される。そして、請求の範囲内及びそれと同等の発明の意義の範囲内で施される様々な変形が、本発明の範囲内とみなされる。
【産業上の利用可能性】
【００６８】
本発明は、空気調和対象の空気の調和を行うのに適している。
【符号の説明】
【００６９】
１  空気調和機、１０  室内機、２０，１２０，２２０，３２０，４２０  室内熱交換器、２０Ａ，１２０Ａ，２２０Ａ，３２０Ａ，４２０Ａ  前面下部熱交換器、２０Ｂ  前面上部熱交換器、２０Ｃ  背面熱交換器、２１  伝熱管、２１−１  第１伝熱管、２１−２  第２伝熱管、２１−３  第３伝熱管、２１−４  第４伝熱管、２２  フィン、２３Ｕ  上端、２３Ｌ  下端、２４  第１のスリット群、２４ａ  第１のスリット、２４ｂ，２５ｂ，２６ｂ，２７ｂ  細片、２５  第２のスリット群、２５ａ  第２のスリット、２６  第３のスリット群、２６ａ  第３のスリット、２７  第４のスリット群、２７ａ  第４のスリット、３０  貫流ファン、３１  圧縮機、３２  四方切換弁、３３  室外熱交換器、４０，４１  ドレンパン、４０ａ  リブ、４２，４３  断熱材、５０  筐体、５０ａ  吸込口、５０ｂ  吸込口、５０ｃ  吹出口、５０ｄ  上下風向変更板、５１  筐体本体、５２  前面パネル、５３  集塵フィルタ、５４  ノズル、６０  室外機、６１  圧縮機、６２  四方切換弁、６３  室外熱交換器、６４  絞り機構、６５  室外送風機、７０  配管、Ｄ１  第１方向、Ｐ１  第１の通風路、Ｐ２  第２の通風路、Ｐ３  第３の通風路、Ｐ４  第４の通風路、Ｒ  室内、Ｘ１，Ｘ２，Ｘ３，Ｘ４  領域、Ｗ  ドレン水。
【図１】
2019180764.tif 000003
【図２】
2019180764.tif 000004
【図３】
2019180764.tif 000005
【図４】
2019180764.tif 000006
【図５Ａ】
2019180764.tif 000007
【図５Ｂ】
2019180764.tif 000008
【図６Ａ】
2019180764.tif 000009
【図６Ｂ】
2019180764.tif 000010
【図７】
2019180764.tif 000011
【図８Ａ】
2019180764.tif 000012
【図８Ｂ】
2019180764.tif 000013
【図９】
2019180764.tif 000014
【図１０】
2019180764.tif 000015
【手続補正書】
【提出日】令和2年3月19日(2020.3.19)
【手続補正１】
【補正対象書類名】明細書
【補正対象項目名】０００７
【補正方法】変更
【補正の内容】
【０００７】
上記目的を達成するため、本発明に係る室内機は、複数のフィンと、複数のフィンを貫通する複数の伝熱管と、を有し、空気との熱交換を行う室内熱交換器と、室内熱交換器の下方に配置され、室内熱交換器の熱交換時に生じるドレン水を受けるドレンパンと、を備える。複数の伝熱管は、ドレンパンの最も近くに配置されると共に、室内熱交換器の下端との間に空気が流れる第１の通風路を構成する第１伝熱管と、第１伝熱管よりもドレンパンから遠くに配置されると共に、第１伝熱管との間に空気が流れる第２の通風路を構成する第２伝熱管と、を含む。複数のフィンには、第２の通風路よりも大きな通風抵抗を有することで、第１の通風路を流れる空気によるドレンパンに溜まっているドレン水の飛散を抑制する第１の通風路の一部を構成する第１のスリット群が形成されている。
【手続補正２】
【補正対象書類名】特許請求の範囲
【補正対象項目名】全文
【補正方法】変更
【補正の内容】
【特許請求の範囲】
【請求項１】
複数のフィンと、前記複数のフィンを貫通する複数の伝熱管と、を有し、空気との熱交換を行う室内熱交換器と、
前記室内熱交換器の下方に配置され、前記室内熱交換器の熱交換時に生じるドレン水を受けるドレンパンと、
を備え、
前記複数の伝熱管は、前記ドレンパンの最も近くに配置されると共に、前記室内熱交換器の下端との間に前記空気が流れる第１の通風路を構成する第１伝熱管と、前記第１伝熱管よりも前記ドレンパンから遠くに配置されると共に、前記第１伝熱管との間に前記空気が流れる第２の通風路を構成する第２伝熱管と、を含み、
前記複数のフィンには、前記第２の通風路よりも大きな通風抵抗を有することで、前記第１の通風路を流れる前記空気による前記ドレンパンに溜まっているドレン水の飛散を抑制する前記第１の通風路の一部を構成する第１のスリット群が形成されている、室内機。
【請求項２】
前記第１のスリット群は、前記室内熱交換器の上端から下端に向かう第１方向に沿って延びると共に、前記フィンから細片が切り起こされて形成されている第１のスリットを有する、請求項１に記載の室内機。
【請求項３】
前記複数のフィンには、前記第２伝熱管と前記第１伝熱管との間に、第２のスリット群が形成されている、請求項２に記載の室内機。
【請求項４】
前記第２のスリット群は、前記第１方向に沿って延びると共に、前記フィンから細片が切り起こされて形成されている第２のスリットを有する、請求項３に記載の室内機。
【請求項５】
前記第１のスリット群の前記第１のスリットの前記第１方向の長さの総和は、前記第２のスリット群の前記第２のスリットの前記第１方向の長さの総和よりも大きい、請求項４に記載の室内機。
【請求項６】
前記第１のスリット群が有する前記第１のスリットの本数は、前記第２のスリット群の前記第２のスリットの本数よりも多い、請求項４又は５に記載の室内機。
【請求項７】
前記複数の伝熱管は、前記第２伝熱管よりも前記ドレンパンから遠くに配置されると共に、前記第２伝熱管との間に前記空気が流れる第３の通風路を構成する第３伝熱管を含み、
前記複数のフィンには、前記第３伝熱管と前記第２伝熱管との間に、第３のスリット群が形成されている、請求項３から６のいずれか一項に記載の室内機。
【請求項８】
前記第３のスリット群は、前記第２の通風路の通風抵抗と同等の通風抵抗を有する前記第３の通風路の一部を構成する、請求項７に記載の室内機。
【請求項９】
前記第３のスリット群は、前記第２の通風路よりも大きな通風抵抗を有する前記第３の通風路の一部を構成する、請求項７に記載の室内機。
【請求項１０】
前記複数のフィンにおける前記第２伝熱管と前記第１伝熱管との間の部分は、平滑な面である、請求項１又は２に記載の室内機。
【請求項１１】
空気吸込口及び空気吹出口が形成され、前記室内熱交換器を収容する室内機筐体と、
前記空気吸込口から前記空気を取り入れると共に、前記室内熱交換器によって熱交換された前記空気を、前記空気吹出口から吹き出す貫流ファンと、
を備える、請求項１から１０のいずれか一項に記載の室内機。
【請求項１２】
請求項１から１１のいずれか一項に記載の室内機を備える、空気調和機。
【国際調査報告】
2019180764.tif 000016
2019180764.tif 000017
2019180764.tif 000018